(57)【要約】      （修正有）【課題】早期、停電対策のための強制送電に起因する波及事故や、受電機器の損傷、雷害、点検不備、施工不良等による波及停電事故を防止する受変電設備を提供する。【解決手段】構内第一柱に、受電用負荷開閉器を備えていない出迎えケーブル受変電方式を採用している自家用受変電設備において、負荷開閉器用の操作電源に使用している電灯用変圧器が、万一故障により、その機能を喪失した場合、故障に気付かず復電したり、計器用変圧器の焼損、パワー・ヒューズの溶断に気付かず、高圧地絡継電器を復電した場合も、トリップ電源を専用の蓄電器で確保し太陽光発電パネルで、充電しておき、波及停電防止に備えるもので、３００ＫＶＡを超過する受変電設備に対しては，高圧地絡継電器の電源とコンデンサ・トリップ・ユニットの充電電源も確保する事で波及停電を防止する。【選択図】図１
0003193639.tif 000002
【実用新案登録請求の範囲】
【請求項１】
高圧受電設備の高圧地絡継電器電源並びに高圧負荷開閉器の開放電源を衷失した場合、常時充電している太陽光電池に切替えて外部配電線への波及事故を防止するものである。
また、３００ＫＶＡを超える受電設備の場合は、高圧真空遮断器を使用するので、高圧地絡継電器の電源に、コンデンサー・トリップ・ユニットの電源も確保するものである。
【考案の詳細な説明】
【技術分野】
【０００１】この発明は電力会社から電気の供給を受ける高圧受電設備であって３００ＫＶＡ以下の受電容量の需要家においては、受電設備の受電端に設けた零相変流器によって地絡電流を検出し、構内第一柱に設置している受電用負荷開閉器で、負荷を開放する事により、外部への事故の波及を防止する。
此の高圧地絡継電器電源並びに高圧負荷開閉器開放電源は、通常  専用の制御電源用変圧器から供給される事になっているが、殆どの場合、構内の電灯変圧器から供給されている。
万一電灯変圧器が故障により、高圧地絡継電器用の制御電源が、喪失するような事態が起きた場合、電灯変圧器の故障に気付かず、復電すると電力会社の変電所で地絡継電器が働き他の需要家に波及する事となる。此の波及事故防止に関するものである。
今回実用新案を申請するのは、電灯変圧器の故障を見逃した場合や、制御用電圧器や計器用変圧器の焼損、電力ヒューズの溶断を気付かず、復電作業をした場合も高圧地絡継電器やトリップ電源を、蓄電池で確保する為のものであり。太陽光電池は、当該蓄電池へ充電を行なうものである。
また、３００ＫＶＡを超える受変電設備の場合は、高圧真空遮断器を使用するので、高圧地絡継電器の電源と（コンデンサートリップ・ユニット）の充電電源も確保するものである。
【背景技術】
【０００２】従来、高圧受電設備の地絡電流の検知や、高圧負荷開閉器開放電源確保は殆どの場合、同一高圧回路の電灯用変圧器から供給されている。
初期の故障の場合は構内第一柱にて地絡継電器により故障表示・高圧負荷回路開放と順調に処理されるが、出迎え受電の場合、故障回路の細分化処置の為に電力会社より、短時間後の強制送電が実施されると、地絡継電器の為、外部系統回路の波及停電事故となる。電力会社は停電時間短縮のため、強制送電は避けられず、需要家設備責任分界点での受電体制の確立が必要となる。
受電用ケーブルによる出迎え受電が、特に市街地では多く存在し、その解消の為には長い時間と高い技術が必要である。
【特許文献】
【０００３】  技術分野で記載の通り、高圧地絡継電器電源並びに高圧負荷開閉器トリップ電源は専用の制御電源用変圧器から供給することになっているが、都市部や繁華街では殆どの場合、構内の電灯用変圧器から供給されている。
技術・経済性並びに必要度から、対策を見送られるケースが、此の状態を招いているが近年、電力関係業界を含む、厳しい管理レベルの要求がこれを許さなくなってきている。
【考案の概要】
【考案が解決しようとする課題】
【０００４】  現状には、次のような欠点があった。
電力会社集計による配電線事故に占める自家用需要家の波及事故
４〜８％    （平成１９年〜２３年／年平均）
１３００件    （平成１９年〜２３年）
これらは、需要家責任分界点以降の構内事故の波及が，多くを占めている。
このような早期、停電対策のための強制送電に起因する波及事故や、受電機器の損傷、雷害、点検不備、施工不良等による波及停電事故に対して、これらの、欠点を無くするために、本発明を提供するものである。
【課題を解決する為の手段】
【０００５】本発明は、受変電設備の構内第一柱に、受電用負荷開閉器のない、受電用ケーブルによる出迎え受電が採用されているケースでの波及停電を防止するもので万一電灯用変圧器の故障により高圧地絡継電器用の制御電源が、喪失するような事態が起きた場合、電灯変圧器の故障に気付かず復電すると、外部への波及事故に至ります。
今回実用新案を申請するのは、電灯用変圧器の故障を見逃した場合や、計器用変圧器の焼損、・パワーヒューズの溶断に気づかず、復電した場合も高圧地絡継電器やトリップ電源を蓄電池で確保し、太陽光パネルにて蓄電池の充電を行なっておくものである。また、３００ＫＶＡを超過する受変電設備の場合は、高圧真空遮断器を使用しますので、高圧地絡継電器の電源とコンデンサー・トリップ・ユニットの充電電源も確保するものである。
【発明の効果】
【０００６】（イ）自家用構内の停電事故を外部系統へ波及させない。
（ロ）自家用構内停電事故は構内で処理出来る。
0003193639.tif 000003
【図面の簡単な説明】
【０００７】
【図１】太陽光発電パネルを使用した波及事故防止の概略図  ▲１▼高圧交流負荷開閉器  ▲２▼限流ヒューズ  ▲３▼トリップコイル  ▲４▼電灯用変圧器  ▲５▼操作用電源開閉器  ▲６▼太陽電池アレイ  ▲７▼受電切替継電器  ▲８▼パワーコンディショナー（バッテリー内蔵）  ▲９▼地絡継電器
【考案を実施するための形態】
【０００８】以下、本発明を実施するための形態について説明する。
高圧受電設備の需要家では、受電設備は構内第一柱に、受電用負荷開閉器を設置していない受電用ケーブルによる出迎え受電が多数あり、市街地や繁華街は、殆どが、この出迎えケーブル方式である。
この場合、３００ＫＶＡ以下の受電容量の需要家では、キュービクル内の高圧地絡事故は、当該、受電端に設けた零相変流器によって、地絡電流を検知し、受電用高圧負荷開閉器を開いて外部への事故波及を防止するが、この高圧地絡継電器の電源並びに高圧負荷開閉器開放用電源は、殆どが電灯用変圧器より供給されている。万一  電灯用変圧器の故障により、高圧地絡継電器用の制御電源が、喪失するような事態が起きた場合、電灯用変圧器の故障に気付かず、復電作業をすると、外部系統回路への波及事故になる。
今回、実用新案を申請するのは、電灯用変圧器の故障を見逃した場合や、計器用変圧器の焼損、電力ヒューズの溶断等に気付かず、復電した場合も、高圧地絡継電器やトリップ電源を蓄電池に確保しており、蓄電池は太陽電池で充電しておく。
また、３００ＫＶＡを超える受変電設備の場合は、高圧真空遮断器を使用するので、高圧地絡継電器の電源と、コンデンサー・トリップ・ユニットの充電電源も確保するものです。
本発明は、以上のような構造である。
これを使用するときは、電力会社の当該系統配電幹線が、緊急停電し、緊急策として強制給電した場合、自家構内での事故の時は、構内事故として処理、構外事故では、正常に停電復帰となる。何れのケースも操作用電源を（切替え継電器）で切り替え、蓄電池より供給をする。
【符号の説明】
【０００９】▲１▼高圧交流負荷開閉器・・電灯用兼操作電源
▲２▼限流ヒューズ
▲３▼トリップ・コイル・・・構内事故時停電・作動
外部停電にて  不動作
▲４▼（電灯用）単三変圧器・電灯用兼操作電源・外部停電にて無電圧
・強制送電で復帰
▲５▼操作用電源開閉器
▲６▼太陽電池アレイ・・・・常時蓄電池へ充電（開閉器―作動用）
▲７▼切替え継電器・・・・・制御用変圧器よりの電圧喪失で切替え（作動―不動作）
▲８▼パワー・コンデショナー（蓄電池インバータ内蔵・・ＡＣ１００Ｖ供給）
▲９▼地絡継電器・・・・・（高圧回路地絡事故の有無）
【図１】
0003193639.tif 000004
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
自家用受変電設備の構内第一柱に、受電用負荷開閉器を備えていない出迎えケーブル受変電方式を採用している当該設備において負荷開閉器用の操作電源に使用している電灯用変圧器が、万一故障により、その機能を喪失した場合、故障に気付かず復電したり、計器用変圧器の焼損、パワー・ヒューズの溶断に気付かず、高圧地絡継電器を復電した場合も、トリップ電源を専用の蓄電器で確保し太陽光発電パネルで、充電しておき、波及停電防止に備えるもので、３００ＫＶＡを超過する受変電設備に対しては，高圧地絡継電器の電源とコンデンサ・トリップ・ユニットの充電電源も確保する事で波及停電を防止する受変電設備。
【手続補正３】
【補正対象書類名】明細書
【補正対象項目名】０００６
【補正方法】変更
【補正の内容】
【０００６】（イ）自家用構内の停電事故を外部系統へ波及させない。
（ロ）自家用構内停電事故は構内で処理できる。